(57)【特許請求の範囲】
【請求項１】
原稿の画像を読み取って画像データを取得する画像読取部と、
前記画像読取部を支持するフレームと、
前記画像読取部を制御するための入力操作を受け付ける複数の入力キーを含む操作部、及び、前記入力キーを外部に露出する引き出し位置と内部に収納する収納位置との間で変位自在に前記操作部を支持する操作ユニット本体部を有する操作ユニットであって前記フレームに支持される操作ユニットと、を含む画像読取装置、並びに、
前記画像読取装置で取得した画像データに基づいて記録媒体に画像を形成する画像形成ユニットを備え、
前記フレームは、金属製の左フレーム、右フレーム、及び背部フレームを含み、Ｕ字状に形成され、前記画像形成ユニットの本体フレームの上部に固定され、
前記左フレーム及び前記右フレームは、鉛直方向に配置された板状部であって前記操作部の変位方向に延びる板状部、及び前記板状部から水平方向へ突出して前記画像読取部を支持する受け部を有し、
前記左フレームは、鉛直方向に配置された板状であって前部側端部から前部側へ延出した延出部、及び前記延出部の基部に配置されて前記鉛直方向であって前記延出部と直交する方向に配置された第１支持部を有し、
前記右フレームは、前部側端部に前記左フレーム側へ水平に突出した第２支持部を有し、
前記操作ユニット本体部は、前記左フレームと対向する側の端部に前記延出部と重なるように設けられた立設部、前記左フレームと対向する側の端部に前記第１支持部と重なるように設けられた第１固定部、及び前記右フレームと対向する側の端部に前記第２支持部と重なるように水平方向に延出した第２固定部を有する、画像形成装置。
【請求項２】
前記引き出し位置は、前記操作部が水平方向に突出する位置である請求項１に記載の画像形成装置。
【請求項３】
前記操作ユニットと前記フレームとの間には、振動吸収部材が配置される請求項１又は２に記載の画像形成装置。
【請求項４】
前記操作ユニットは、
前記操作部の引き出し方向において前記操作部の上流側端部に接続された電気コードを被覆した所定長さを有する管状部材であって前記操作部の変位時に屈曲しない硬性を有する管状部材と、
前記引き出し方向において前記収納位置にある前記操作部の前記上流側端部より上流側であって前記引き出し方向に沿う方向において前記電気コードと前記操作部との接続箇所と異なる位置で、水平面内で回転自在に前記操作ユニット本体部に支持され、前記管状部材を摺動自在に貫通させる貫通孔を有する回転部材と、をさらに有する請求項１から３のいずれかに記載の画像形成装置。
【発明の詳細な説明】
【技術分野】
【０００１】
この発明は、画像読取部を制御するための入力操作を受け付ける操作部を含む画像読取装置を備える画像形成装置に関する。
【背景技術】
【０００２】
画像読取装置は、原稿の画像を読み取って画像データを取得する画像読取部の他に、複数の入力キーを含む操作部を備えている。
【０００３】
近年、画像読取装置の機能の多様化にともない、入力操作が複雑化する傾向にある。このため、操作部の入力キーを増加させることで入力操作を簡易化することが考えられる。ところが、従来の画像読取装置のように操作部が画像読取部の上面に搭載されていると、画像読取装置の大型化を抑制するためには操作部用に取れる面積が狭く、十分な数の入力キーを操作部に設置することが困難であった。
【０００４】
一方、携帯型電子機器の中には、フルキーケースに対してテンキーケースを引き出すことで、テンキーケースが露出するように構成されたものがある（例えば、特許文献１参照。）。この構成によれば、必要なときにテンキーケースを引き出すことで、フルキーに加えてテンキーの使用が可能となる。
【特許文献１】特開２００７−１７９５２５公報
【発明の開示】
【発明が解決しようとする課題】
【０００５】
しかし、従来の画像読取装置では、操作部を引き出し自在にして操作部がより端部に配置されるようになると、操作部は画像読取部に支持されているので、操作部からの入力操作時に操作部の入力キーを押下することによる振動が梃子の原理によってより大きな振動となって画像読取部へ伝達されることがある。画像読取部へ振動が伝達されると、画像の読み取り精度が低下する。特許文献１に記載の構成では、操作部を押下することによる振動の伝達を抑制することについては考慮されていない。
【０００６】
この発明の目的は、画像読取部への振動の伝達の抑制及び画像読取装置の大型化の抑制を図りながら、入力キーを増加させることができる画像形成装置を提供することにある。
【課題を解決するための手段】
【０００７】
この発明の画像形成装置は、画像読取部、フレーム、及び操作ユニットを含む画像読取装置、並びに、画像形成ユニットを備える。画像読取部は、原稿の画像を読み取って画像データを取得する。フレームは、画像読取部を支持する。操作ユニットは、画像読取部を制御するための入力操作を受け付ける複数の入力キーを含む操作部、及び、入力キーを外部に露出する引き出し位置と内部に収納する収納位置との間で変位自在に操作部を支持する操作ユニット本体部を有する。操作ユニットは、フレームに支持される。画像形成ユニットは、画像読取装置で取得した画像データに基づいて記録媒体に画像を形成する。フレームは、金属製の左フレーム、右フレーム、及び背部フレームを含み、Ｕ字状に形成され、画像形成ユニットの本体フレームの上部に固定される。左フレーム及び右フレームは、鉛直方向に配置された板状部であって操作部の変位方向に延びる板状部、及び板状部から水平方向へ突出して画像読取部を支持する受け部を有する。左フレームは、鉛直方向に配置された板状であって側端部から前部側へ延出した延出部、及び延出部の基部に配置されて鉛直方向であって延出部と直交する方向に配置された第１支持部を有し、右フレームは、前部側端部に左フレーム側へ水平に突出した第２支持部を有し、操作ユニット本体部は、左フレームと対向する側の端部に延出部と重なるように設けられた立設部、左フレームと対向する側の端部に第１支持部と重なるように設けられた第１固定部、及び右フレームと対向する側の端部に第２支持部と重なるように水平方向に延出した第２固定部を有する。
【０００８】
この構成では、操作部が引き出し位置と収納位置とに変位自在なので、上面に固定的に配置される入力部に加えて操作部を備えることができる。このため、画像読取装置の大型化を抑制しながら入力キーを増加させることができ、入力操作を簡易化することができる。また、操作ユニットは、画像読取部ではなくフレームに支持される。このため、操作部の入力キーを押下することによる振動が画像読取部へ伝達されにくくなる。
【０００９】
上述の構成において、引き出し位置は、操作部が水平方向に突出する位置であってもよい。水平方向へ突出する位置に操作部が引き出された状態で操作部の入力キーが押下されると、入力キーの押下による振動が大きくなることがあるが、操作ユニットがフレームに支持されているので、振動の画像読取部への伝達を抑制できる。
【００１０】
また、操作ユニットとフレームとの間には、振動吸収部材が配置されることが好ましい。操作ユニットとフレームとの間に振動吸収部材が配置されることで、入力キーの押下による振動の画像読取部への伝達をより抑制できる。
【００１１】
さらに、操作ユニットは、管状部材、及び回転部材を有するものとすることができる。管状部材は、操作部の引き出し方向において操作部の上流側端部に接続された電気コードを被覆した所定長さを有する管状部材であって操作部の変位時に屈曲しない硬性を有する。回転部材は、引き出し方向において収納位置にある操作部の上流側端部より上流側であって引き出し方向に沿う方向において電気コードと操作部との接続箇所と異なる位置で、水平面内で回転自在に操作ユニット本体部に支持され、管状部材を摺動自在に貫通させる貫通孔を有する。操作部が引き出し位置と収納位置との間で変位する際に、管状部材が屈曲することなく回転部材の孔を摺動するので、電気コードが屈曲して周辺の部材と擦れることがない。このため、操作部が変位する際に電気コードが擦れることによる振動を抑制できるとともに、電気コードの損傷を防止できる。また、電気コードの擦れを防ぐために大きなスペースを備える必要がないので、画像読取装置の小型化を図ることができる。
【００１２】
画像形成装置は、画像読取装置と、画像読取装置で取得した画像データに基づいて記録媒体に画像を形成する画像形成部と、を備える。操作部が引き出し位置と収納位置とに変位自在であり、操作ユニットが画像読取部ではなくフレームに支持されるので、画像読取部への振動の伝達の抑制及び画像読取装置の大型化の抑制を図りながら、入力キーを増加させることができる。
【発明の効果】
【００１３】
この発明によれば、操作部が引き出し位置と収納位置とに変位自在なので、画像読取装置の大型化を抑制しながら入力キーを増加させることができ、入力操作を簡易化することができる。また、操作ユニットが画像読取部ではなくフレームに支持されるので、操作部を押下することによる振動の画像読取部への伝達を抑制することができる。
【発明を実施するための最良の形態】
【００１４】
以下に、この発明を実施するための最良の形態について、図面に基づいて説明する。図１は、この発明の実施形態に係る画像読取装置１０を備えた画像形成装置１００の正面断面図である。図１では、一部の切断面のみに断面表記を付している。
【００１５】
画像形成装置１００は、画像読取装置１０の他に、画像形成ユニット２００、及び給紙ユニット３００を備えている。
【００１６】
画像読取装置１０は、自動原稿搬送装置（ＡＤＦ:AutomaticDocument Feeder）１２０、及び画像読取部２０を備えている。画像読取部２０は、第１原稿台２１、第２原稿台２２、第１ミラーベース２３、第２ミラーベース２４、レンズ２５、及び固体撮像素子（ＣＣＤ:Charge Coupled Device）２６を備えている。
【００１７】
ＡＤＦ９０には、原稿トレイ９１から第２原稿台２２を経由して排出トレイ９２へ至る原稿搬送路９３が形成されている。ＡＤＦ９０は、原稿搬送路９３内に原稿を１枚ずつ搬送する。ＡＤＦ９０は、第１原稿台２１の上面を開閉自在に被覆するように、背面側を支点に回動自在にされている。前面側が上方に移動するようにＡＤＦ９０を回動させて第１原稿台２１の上面を露出させることにより、手動操作によって第１原稿台２１に原稿を載置することができる。
【００１８】
第１原稿台２１及び第２原稿台２２は、ともに硬質ガラス板によって構成されている。
【００１９】
第１ミラーベース２２３及び第２ミラーベース２４は、第１原稿台２１及び第２原稿台２２の下方において水平方向に移動自在にされている。第２ミラーベース２４の移動速度は、第１ミラーベース２３の移動速度の１／２にされている。第１ミラーベース２３は、光源及び第１ミラーを搭載している。第２ミラーベース２４は、第２ミラー及び第３ミラーを搭載している。
【００２０】
ＡＤＦ９０によって搬送される原稿の画像を読み取る際に、第１ミラーベース２３は、第２原稿台２２の下方に停止している。光源の光は、第２原稿台２２上を通過する原稿の画像面に向けて照射され、原稿の画像面における反射光が第１ミラーによって第２ミラーベース２４に向けて反射される。
【００２１】
第１原稿台２１に載置された原稿の画像を読み取る際には、第１ミラーベース２３及び第２ミラーベース２４は、第１原稿台２１の下方を水平方向に移動する。光源の光は、第１原稿台２１上に載置された原稿の画像面に向けて照射され、原稿の画像面における反射光が第１ミラーによって第２ミラーベース２４に向けて反射される。
【００２２】
ＡＤＦ９０を用いるか否かに拘らず、原稿の画像面における反射光は、光路長を一定にして、第２ミラー及び第３ミラーによってレンズ２５を経由してＣＣＤ２６に入射する。
【００２３】
ＣＣＤ２６は、原稿の画像面における反射光の光量に応じた電気信号を出力する。この電気信号は、図示しない制御部に画像データとして入力される。このようにして、画像読取部２０は、原稿の画像を読み取って画像データを取得する。制御部は、必要に応じて画像データを画像形成ユニット２００へ出力する。
【００２４】
画像形成ユニット２００は、露光ユニット１、４個の現像装置２、４個の感光体ドラム３、４個のクリーニングユニット４、４個の帯電装置５、中間転写ベルト６１、４個の一次転写ローラ６４、二次転写ローラ６６、定着装置７、排紙トレイ６７、用紙搬送路６８，６９、及び本体フレーム２０１，２０２を備えている。
【００２５】
画像形成ユニット２００は、ブラック、並びに、カラー画像を色分解して得られる減法混色の３原色であるシアン、マゼンタ及びイエローの４色の各色相に対応した画像データを用いて、画像形成部ＰＡ，ＰＢ、ＰＣ，ＰＤにおいて画像形成を行う。画像形成部ＰＡ〜ＰＤは、中間転写ベルト６１の移動方向に沿って一列に配置されている。画像形成部ＰＡ〜ＰＤは、互いに同様に構成されている。
【００２６】
ブラックの画像形成部ＰＡは、現像装置２、感光体ドラム３、クリーニングユニット４、帯電装置５、及び一次転写ローラ６４を備えている。
【００２７】
帯電装置５は、感光体ドラム３の表面を所定の電位に均一に帯電させる。
【００２８】
露光ユニット１は、図示しない半導体レーザ、ポリゴンミラー、第１ｆθレンズ及び第２ｆθレンズを備えており、ブラック、シアン、マゼンタ及びイエローの各色相の画像データによって変調されたレーザビームのそれぞれを、画像形成部ＰＡ〜ＰＤのそれぞれの感光体ドラム３に照射する。４個の感光体ドラム３のそれぞれには、ブラック、シアン、マゼンタ及びイエローの各色相の画像データによる静電潜像が形成される。
【００２９】
現像装置２は、静電潜像が形成された感光体ドラム３の表面にブラックのトナーを供給し、静電潜像を現像剤像に顕像化する。
【００３０】
クリーニングユニット４は、現像及び画像転写の後における感光体ドラム３の表面に残留したトナーを回収する。
【００３１】
中間転写ベルト６１は、駆動ローラ６２と従動ローラ６３との間に張架されてループ状の移動経路を形成している。中間転写ベルト６１の外周面は、４個の感光体ドラム３に順に対向する。中間転写ベルト６１を挟んで各感光体ドラム３に対向する位置のそれぞれに、一次転写ローラ６４が配置されている。中間転写ベルト６１が感光体ドラム３に対向する位置のそれぞれが一次転写位置である。
【００３２】
一次転写ローラ６４には、感光体ドラム３の表面に担持された現像剤像を中間転写ベルト６１上に転写するために、トナーの帯電極性と逆極性の一次転写バイアスが定電圧制御によって印加される。これによって、感光体ドラム３のそれぞれに形成された各色相の現像剤像は中間転写ベルト６１の外周面に順次重ねて転写され、中間転写ベルト６１の外周面にフルカラーの現像剤像が形成される。
【００３３】
但し、イエロー、マゼンタ、シアン及びブラックの色相の一部のみの画像データが入力された場合は、４個の感光体ドラム３のうち、入力された画像データの色相に対応する一部のみにおいて静電潜像及び現像剤像の形成が行われる。例えば、モノクロ印刷モード時には、ブラックの色相に対応した感光体ドラム３のみにおいて静電潜像の形成及び現像剤像の形成が行われ、中間転写ベルト６１の外周面にはブラックの現像剤像のみが転写される。
【００３４】
画像形成部ＰＡ〜ＰＤの全てにおいて画像形成が行われるフルカラー画像形成時には、４個の一次転写ローラ６４が中間転写ベルト６１を全ての感光体ドラム３に圧接させる。一方、画像形成部ＰＡのみにおいて画像形成が行われるモノクロ画像形成時には、画像形成部ＰＡの一次転写ローラ６４のみが中間転写ベルト６１を感光体ドラム３に圧接させる。
【００３５】
各一次転写ローラ６４は、直径８〜１０ｍｍの金属（例えばステンレス）を素材とする軸の表面を導電性の弾性材によって被覆して構成されており、導電性の弾性材によって中間転写ベルト６１に均一に高電圧を印加する。弾性材として、ＥＰＤＭ（エチレン・プロピレン共重合ゴム）、又は発泡ウレタン等が用いられる。
【００３６】
各一次転写位置において中間転写ベルト６１の外周面に転写された現像剤像は、中間転写ベルト６１の回転によって、中間転写ベルト６１と二次転写ローラ６６との対向位置である二次転写位置へ搬送される。二次転写ローラ６６は、画像形成時において、内周面が駆動ローラ６２の周面に接触する中間転写ベルト６１の外周面に所定のニップ圧で圧接している。
【００３７】
給紙ユニット３００から給紙された用紙が二次転写位置を通過する際に、二次転写ローラ６６にトナーの帯電極性とは逆極性の高電圧が印加される。これによって、中間転写ベルト６１の外周面から、記録媒体の一例である用紙の表面に、現像剤像が転写される。
【００３８】
現像剤像が用紙に転写された後の中間転写ベルト６１上に残留した現像剤は、中間転写ベルト用クリーニング装置６５によって回収される。
【００３９】
現像剤像が転写された用紙は、定着装置７に導かれ、加熱ローラ７１と加圧ローラ７２との間を通過することで加熱及び加圧される。これによって、現像剤像が、用紙の表面に堅牢に定着する。現像剤像が定着した用紙は、排紙トレイ６７上へ排出される。
【００４０】
用紙搬送路６８には、複数の搬送ローラ１２Ａ，１２Ｂが配置されている。用紙搬送路６８は、給紙ユニット３００の給紙トレイ８１に収容されている用紙を、二次転写位置及び定着装置７を経由して排紙トレイ６７へ送るために、略垂直方向に配置されている。
【００４１】
用紙搬送路６９には、複数の搬送ローラ１２Ｃ，１２Ｄが配置されている。用紙搬送路６９は、用紙の搬送方向において、定着装置７の下流側から二次転写位置の上流側まで配置されている。用紙搬送路６９には、定着装置７を通過した後で排紙トレイ６７へ排出される用紙が、それまでの後端を前にして搬送される。これによって、用紙は表裏を反転した状態で、二次転写位置へ再送される。
【００４２】
給紙ユニット３００は、給紙カセット８１の他に、手差しトレイ８２を備えている。給紙カセット８１及び手差しトレイ８２のそれぞれには、用紙が収容される。
【００４３】
給紙ユニット４００は、給紙カセット８１又は手差しトレイ８２の何れかから１枚ずつ用紙を給紙する。給紙カセット８１に収容された用紙は、ピックアップローラ１１Ａによって給紙され、用紙搬送路６８を経由して二次転写位置へ搬送される。手差しトレイ８２に収容された用紙は、ピックアップローラ１１Ｂによって給紙され、用紙搬送路６８を経由して二次転写位置へ搬送される。
【００４４】
用紙搬送方向において二次転写位置の上流側に、レジストローラ１３が配置されている。給紙カセット８１又は手差しトレイ８２から給紙された用紙は、レジストローラ１３が停止した状態で先端をレジストローラ１３に突き当てられる。レジストローラ１３の回転軸は、用紙の搬送方向に直交する方向に配置されている。用紙の先端が、停止した状態のレジストローラ１３に突き当てられることで、用紙が斜行している場合は斜行が補正される。
【００４５】
レジストローラ１３は、用紙の先端を、中間転写ベルト６１の表面に形成された現像剤像の先端と合わせるタイミングで回転を開始し、二次転写位置へ用紙を供給する。用紙には現像剤像が転写及び定着され、用紙は排紙トレイ６７上へ排出される。
【００４６】
図２は、フレーム３０及び操作ユニット４０の斜視図である。図３は、フレーム３０の斜視図である。図４は、操作ユニット４０の斜視図である。
【００４７】
画像読取装置１０は、ＡＤＦ９０及び画像読取部２０の他に、フレーム３０、及び操作ユニット４０をさらに備えている。
【００４８】
フレーム３０は、金属製で、左フレーム３１、右フレーム３２、及び背部フレーム３３を有している。フレーム３０は、左フレーム３１、右フレーム３２、及び背部フレーム３３が長方形の３辺を構成するように、略Ｕ字状に形成されている。図１に示すように、左フレーム３１及び右フレーム３２を含むフレーム３０は、画像形成ユニット２００の本体フレーム２０１，２０２の上部に固定されている。
【００４９】
左フレーム３１は、右フレーム３２側へ水平に突出した受け部３１１を有している。右フレーム３２は、左フレーム３１側へ水平に突出した受け部を有している。背部フレーム３３は、前部Ｆ側へ水平に突出した受け部３３１を有している。画像読取部２０は、左フレーム３１、右フレーム３２、及び背部フレーム３３のそれぞれの受け部３１１，３３１によって、図示しない緩衝材を挟んで支持されている。
【００５０】
左フレーム３１は、延出部３１２、及び、第１支持部３１３を有している。延出部３１２は、鉛直方向に配置された板状であって、左フレーム３１の前部Ｆ側の端部から前部Ｆ側へ延出している。第１支持部３１３は、延出部３１２の基部に配置され、鉛直方向であって延出部３１２と直交する方向に配置されている。
【００５１】
右フレーム３２は、前部Ｆ側の端部に、左フレーム３１側へ水平に突出した第２支持部３２２を有している。
【００５２】
操作ユニット４０は、操作ユニット本体部４１、及びキーボードトレイ４２、キーボード４３を有している。操作ユニット４０は、フレーム３０に支持される。
【００５３】
キーボード４３は、画像読取部２０を制御するための入力操作を受け付ける複数の入力キー４３１を有している。キーボード４３は、キーボードトレイ４２に設置される。キーボードトレイ４２、及びキーボード４３は、この発明の操作部に相当する。
【００５４】
操作ユニット本体部４１は、立設部４１１、第１固定部４１２、及び、第２固定部４１３を有している。立設部４１１は、左フレーム３１と対向する側の端部に、左フレーム３１の延出部３１２に平行方向に配設されている。第１固定部４１２は、左フレーム３１と対向する側の端部に、第１支持部３１３に平行方向に配設されている。第２固定部４１３は、右フレーム３２と対向する側の端部に、水平方向に延出するように配設されている。
【００５５】
操作ユニット本体部４１がフレーム３０に装着された際、延出部３１２は、立設部４１１と重なるように配置され、操作ユニット本体部４１の左右方向への動きを規制する。第１支持部３１３は、第１固定部４１２と重なるように配置され、操作ユニット本体部４１の前後方向の動きを規制する。第１固定部４１２は、第１支持部３１３にネジ止めされる。第２支持部３２２は、第２固定部４１３と重なるように配置され、操作ユニット本体部４１の鉛直方向の動きを規制する。第２固定部４１３は、第２支持部３２２にネジ止めされる。
【００５６】
操作ユニット４０がフレーム３０に支持されているので、入力キー４３１の押下による振動が画像読取部２０へ伝達されることが、抑制される。
【００５７】
延出部３１２と立設部４１１との間、及び、第１支持部３１３と第１固定部４１２との間には、第１振動吸収部材４１４が配置されている。第２支持部３２２と第２固定部４１３との間には、第２振動吸収部材４１５が配置されている。第１振動吸収部材４１４、及び第２振動吸収部材４１５によって、入力キー４３１の押下による振動が画像読取部２０へ伝達されることがより抑制される。
【００５８】
図５は、画像読取装置１０の一部の側面図である。図６は、画像読取装置１０の一部の平面図である。
【００５９】
キーボードトレイ４２は、入力キー４３１を外部に露出する所定の引き出し位置と内部に収納する所定の収納位置との間で変位自在に、操作ユニット本体部４１に支持されている。キーボードトレイ４２は、引き出し位置において、水平方向に突出する。
【００６０】
操作ユニット本体部４１は、キーボードトレイ４２に対応する間隔をあけて、第１左レール５１、及び第１右レール５２を有している。
【００６１】
第１左レール５１は、左連結部材５３を前後方向に摺動自在に支持している。第１右レール５２は、右連結部材５４を前後方向に摺動自在に支持している。
【００６２】
キーボードトレイ４２は、第２左レール５５、及び第２右レール５６を有している。左連結部材５３は、第２左レール５５を前後方向に摺動自在に支持している。右連結部材５４は、第２右レール５６を前後方向に摺動自在に支持している。
【００６３】
これによって、キーボードトレイ４２は、引き出し位置と収納位置との間で変位自在にされている。
【００６４】
第１左レール５１と左連結部材５３、第１右レール５２と右連結部材５４、左連結部材５３と第２左レール５５、右連結部材５４と第２右レール５６とのそれぞれは、キーボードトレイ４２が引き出し位置以上に引き出されないように互いに係合する第１係合機構を有するとともに、キーボードトレイ４２が収納位置以上に挿入されないように第２係合機構を有している。
【００６５】
また、キーボードトレイ４２及び操作ユニット本体部４１は、キーボードトレイ４２を収納位置にロックし、所定値以上の力でキーボードトレイ４２を引き出した場合にキーボードトレイ４２のロックを解除するように構成されたロック機構を有している。
【００６６】
操作ユニット本体部４１の上面４１４には、液晶タッチパネル等の操作表示部、テンキー、及びスタートキー等を含む入力部が、固定的に配置されている。
【００６７】
キーボードトレイ４２が引き出し位置と収納位置とに変位自在なので、上面４１４に固定的に配置された入力部に加えて、画像読取装置１０の大型化を抑制しながらキーボード４３が備えられる。このように、画像読取装置１０の大型化を抑制しながらも入力キーを増加させることができるので、入力操作の簡易化が可能となる。
【００６８】
図７（Ａ）は、画像読取装置１０の一部の平面断面図であって、キーボードトレイ４２が引き出し位置にある状態を示し、図７（Ｂ）は、キーボードトレイ４２が収納位置にある状態を示す。
【００６９】
操作ユニット４０は、管状部材５７、及び回転部材５８をさらに有している。
【００７０】
管状部材５７は、キーボードトレイ４２の引き出し方向Ｐにおいて、キーボード４３の上流側端部４３１に接続された電気コード５９を被覆している。管状部材５７は、所定長さを有し、キーボードトレイ４２の変位時に屈曲しない硬性を有している。
【００７１】
回転部材５８は、引き出し方向Ｐにおいて収納位置にあるキーボード４３の上流側端部４３１より上流側であって、引き出し方向Ｐに沿う方向において電気コード５９とキーボード４３との接続箇所４３２と異なる位置で、水平面内で回転自在に操作ユニット本体部４１に支持されている。回転部材５８は、管状部材５７を摺動自在に貫通させる貫通孔５８１を有している。
【００７２】
キーボードトレイ４２が引き出し位置と収納位置との間で変位する際、管状部材５７は屈曲することなく回転部材５８の貫通孔５８１を摺動する。このため、電気コード５９が屈曲して周辺の部材と擦れることがない。したがって、キーボードトレイ４２が変位する際に電気コード５９が擦れることによる振動が抑制されるとともに、電気コード５９の損傷が防止される。また、電気コード５９の擦れを防ぐために大きなスペースを備える必要がないので、画像読取装置２０の小型化が図られる。
【００７３】
最後に、上述の実施形態の説明は、すべての点で例示であって、制限的なものではないと考えられるべきである。本発明の範囲は、上述の実施形態ではなく、特許請求の範囲によって示される。さらに、本発明の範囲には、特許請求の範囲と均等の意味および範囲内でのすべての変更が含まれることが意図される。
【図面の簡単な説明】
【００７４】
【図１】この発明の実施形態に係る画像読取装置を備えた画像形成装置の正面断面図である。
【図２】フレーム及び操作ユニットの斜視図である。
【図３】フレームの斜視図である。
【図４】操作ユニットの斜視図である。
【図５】画像読取装置の一部の側面図である。
【図６】画像読取装置の一部の平面図である。
【図７】画像読取装置の一部の平面断面図であり、（Ａ）は、キーボードトレイが引き出し位置にある状態を示し、（Ｂ）は、キーボードトレイが収納位置にある状態を示す。
【符号の説明】
【００７５】
１０  画像読取装置
２０  画像読取部
３０  フレーム
３１１，３３１  受け部
３１２  延出部
３１３  第１支持部
３２２  第２支持部
４０  操作ユニット
４１  操作ユニット本体部
４１１  立設部
４１２  第１固定部
４１３  第２固定部
４１４  第１振動吸収部材
４１５  第２振動吸収部材
４２  キーボードトレイ
４３  キーボード
４３１  入力キー
５７  管状部材
５８  回転部材
５９  電気コード
１００  画像形成装置
【図１】
0004854703.tif 000002
【図２】
0004854703.tif 000003
【図３】
0004854703.tif 000004
【図４】
0004854703.tif 000005
【図５】
0004854703.tif 000006
【図６】
0004854703.tif 000007
【図７】
0004854703.tif 000008